(57)【要約】【課題】スイッチが一方側に固定され続けても、プルアップからの無効電流が消費されず、消費電流を削減することができる電子機器を提供する。【解決手段】第１の端子６０と、第２の端子６１と、第３の端子６２とを有し、第２の端子６１の一方端側６１Ａが接地されており、第１の端子６０の一方端側６０Ａと第２の端子６１の他方端側６１Ｂとが接続される第１の状態と、第２の端子６１の他方端側６１Ｂと第３の端子６２の一方端側６２Ａとが接続される第２の状態とがユーザによる手動操作に応じて切り替え可能に構成されている。また、第１の端子６０の他方端側６０Ｂは、ベースバンドプロセッサ５０の第１の汎用ポート５０Ａに接続されている。また、第３の端子６２の他方端側６２Ｂは、ベースバンドプロセッサ５０の第２の汎用ポート５０Ｂに接続されている。【選択図】図４
2008276361.tif 000002
【特許請求の範囲】
【請求項１】
第１の端子と、第２の端子と、第３の端子とを有し、第２の端子の一方端側が接地されており、前記第１の端子の一方端側と前記第２の端子の他方端側とが接続される第１の状態と、前記第２の端子の他方端側と前記第３の端子の一方端側とが接続される第２の状態との切り替えが可能な３端子切替部と、
前記第１の端子の他方端側が抵抗器を介して電源電圧側又は接地側に接続されるように切り替え動作を行う第１のスイッチ部と、
前記第３の端子の他方端側が抵抗器を介して電源電圧側又は接地側に接続されるように切り替え動作を行う第２のスイッチ部と、
前記第１のスイッチ部と前記第２のスイッチ部の切り替え動作を制御する制御部と、を備え、
前記制御部は、
前記３端子切替部が前記第１の状態に切り替えられた場合、前記第１のスイッチ部を制御して前記第１の端子の他方端側が抵抗器を介して接地側に接続されるように切り替え、前記第２のスイッチ部を制御して前記第３の端子の他方端側が抵抗器を介して電源電圧側に接続されるように切り替え、
前記３端子切替部が前記第２の状態に切り替えられた場合、前記第１のスイッチ部を制御して前記第１の端子の他方端側が抵抗器を介して電源電圧側に接続されるように切り替え、前記第２のスイッチ部を制御して前記第３の端子の他方端側が抵抗器を介して接地側に接続されるように切り替えることを特徴とする電子機器。
【請求項２】
前記制御部は、
電源電圧が投入されたとき、前記第１のスイッチ部を制御して前記第１の端子の他方端側が抵抗器を介して電源電圧側に接続されるように切り替え、前記第２のスイッチ部を制御して前記第３の端子の他方端側が抵抗器を介して電源電圧側に接続されるように切り替え、
前記３端子切替部の切り替え状態を確認し、前記３端子切替部が前記第１の状態に切り替えられている場合、前記第１のスイッチ部を制御して前記第１の端子の他方端側が抵抗器を介して接地側に接続されるように切り替え、前記３端子切替部が前記第２の状態に切り替えられている場合、前記第２のスイッチ部を制御して前記第３の端子の他方端側が抵抗器を介して接地側に接続されるように切り替えることを特徴とする請求項１記載の電子機器。
【請求項３】
情報を記憶する記憶部を備え、
前記制御部は、前記３端子切替部の切り替え状態を確認し、前記３端子切替部が前記第１の状態にある旨の情報又は前記第２の状態にある旨の情報を前記記憶部に記憶させておき、必要に応じて前記記憶部に記憶されている前記情報を参照することを特徴とする請求項２記載の電子機器。
【請求項４】
被写体を撮像する際において、前記被写体までの撮像距離に応じて、通常モードと、マクロモードとの切り替え選択が可能な撮像部を備え、
前記制御部は、前記３端子切替部が前記第１の状態に切り替えられている場合には前記通常モードに切り替え選択を行い、前記３端子切替部が前記第２の状態に切り替えられている場合には前記マクロモードに切り替え選択を行うことを特徴とする請求項１乃至３のいずれか１項に記載の電子機器。
【発明の詳細な説明】
【技術分野】
【０００１】
本発明は、スライドスイッチを有する電子機器に関する。
【背景技術】
【０００２】
携帯機器に備わっている各種機能の切り替え動作（Ｏｎ状態又はＯｆｆ状態）をユーザが手動で操作を行う場合には、筐体表面に設けられているスイッチを押圧操作又はスライド操作等することにより行われる。
【０００３】
また、携帯機器は、スイッチが内部に備えられているプロセッサの汎用ポートに接続されて構成されている。また、プロセッサの汎用ポートは、入カプルアップに設定されており、プロセッサは、Ｌｏｗ信号の割り込み検出によって、スイッチのＯｎ状態又はＯｆｆ状態を判定している。
【０００４】
また、プロセッサの汎用ポートには、通常、入出力及びプルアップ／プルダウン機能が備えられている（例えば、特許文献１を参照）。
【特許文献１】特開２００４−１３３６２６号公報
【発明の開示】
【発明が解決しようとする課題】
【０００５】
ところで、初期設定（Ｄｅｆａｕｌｔ）がユーザの嗜好により異なるもの（例えば、カメラのマイクロスイッチ等）については、スイッチが一方側に固定され続けることにより、プロセッサの汎用ポートがＬｏｗのまま維持され、プルアップからの無効電流が無駄に消費される問題があった。
【０００６】
そこで、本発明は、上述のような課題に鑑みてなされたものであり、その目的の一つは、簡易な構成により、スイッチが一方側に固定され続けても、プルアップからの無効電流が消費されず、消費電流を削減することができる電子機器を提供することにある。
【課題を解決するための手段】
【０００７】
本発明に係る電子機器は、上記課題を解決するために、第１の端子と、第２の端子と、第３の端子とを有し、第２の端子の一方端側が接地されており、前記第１の端子の一方端側と前記第２の端子の他方端側とが接続される第１の状態と、前記第２の端子の他方端側と前記第３の端子の一方端側とが接続される第２の状態との切り替えが可能な３端子切替部と、前記第１の端子の他方端側が抵抗器を介して電源電圧側又は接地側に接続されるように切り替え動作を行う第１のスイッチ部と、前記第３の端子の他方端側が抵抗器を介して電源電圧側又は接地側に接続されるように切り替え動作を行う第２のスイッチ部と、前記第１のスイッチ部と前記第２のスイッチ部の切り替え動作を制御する制御部と、を備え、前記制御部は、前記３端子切替部が前記第１の状態に切り替えられた場合、前記第１のスイッチ部を制御して前記第１の端子の他方端側が抵抗器を介して接地側に接続されるように切り替え、前記第２のスイッチ部を制御して前記第３の端子の他方端側が抵抗器を介して電源電圧側に接続されるように切り替え、前記３端子切替部が前記第２の状態に切り替えられた場合、前記第１のスイッチ部を制御して前記第１の端子の他方端側が抵抗器を介して電源電圧側に接続されるように切り替え、前記第２のスイッチ部を制御して前記第３の端子の他方端側が抵抗器を介して接地側に接続されるように切り替えることを特徴とする。
【０００８】
また、上記電子機器では、前記制御部は、電源電圧が投入されたとき、前記第１のスイッチ部を制御して前記第１の端子の他方端側が抵抗器を介して電源電圧側に接続されるように切り替え、前記第２のスイッチ部を制御して前記第３の端子の他方端側が抵抗器を介して電源電圧側に接続されるように切り替え、前記３端子切替部の切り替え状態を確認し、前記３端子切替部が前記第１の状態に切り替えられている場合、前記第１のスイッチ部を制御して前記第１の端子の他方端側が抵抗器を介して接地側に接続されるように切り替え、前記３端子切替部が前記第２の状態に切り替えられている場合、前記第２のスイッチ部を制御して前記第３の端子の他方端側が抵抗器を介して接地側に接続されるように切り替えるように動作することが好ましい。
【０００９】
また、上記電子機器では、情報を記憶する記憶部を備え、前記制御部は、前記３端子切替部の切り替え状態を確認し、前記３端子切替部が前記第１の状態にある旨の情報又は前記第２の状態にある旨の情報を前記記憶部に記憶させておき、必要に応じて前記記憶部に記憶されている前記情報を参照することが好ましい。
【００１０】
また、上記電子機器では、被写体を撮像する際において、前記被写体までの撮像距離に応じて、通常モードと、マクロモードとの切り替え選択が可能な撮像部を備え、前記制御部は、前記３端子切替部が前記第１の状態に切り替えられている場合には前記通常モードに切り替え選択を行い、前記３端子切替部が前記第２の状態に切り替えられている場合には前記マクロモードに切り替え選択を行うことが好ましい。
【発明の効果】
【００１１】
本発明によれば、消費電流を削減することができる。
【発明を実施するための最良の形態】
【００１２】
以下、本発明の実施の形態について説明する。
【００１３】
図１は、本発明に係る電子機器の一例である携帯電話装置１の外観斜視図を示す。なお、以下では、携帯電話装置について説明するが、本発明はこれに限定されるものではなく、筐体表面にスイッチを有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１４】
携帯電話装置１は、表面がフロントパネル２ａとリアパネル２ｂにより構成される操作部側筐体部２と、表面がフロントパネル３ａとリアパネル３ｂにより構成される表示部側筐体部３と、を備えて構成される。操作部側筐体部２は、フロントパネル２ａ表面に、操作キー群１１と、携帯電話装置１のユーザが通話時に発した音声が入力される音声入力部１２とが露出するように構成される。また、操作キー群１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。また、操作部側筐体部２の側面には、外部機器（例えば、ホスト装置）と通信を行うためのインターフェースを覆うキャップ１６が設けられている。
【００１５】
また、表示部側筐体部３は、フロントパネル３ａに、各種情報を表示するためのディスプレイ２１と、通話の相手側の音声を出力する音声出力部２２とが露出するように構成される。
【００１６】
また、操作部側筐体部２の上端部と表示部側筐体部３の下端部とは、図１に示すように、ヒンジ機構４を介して連結されている。また、携帯電話装置１は、ヒンジ機構４を介して連結された操作部側筐体部２と表示部側筐体部３とを相対的に動かすことにより、操作部側筐体部２と表示部側筐体部３とが互いに開いた状態（開放状態）にしたり、操作部側筐体部２と表示部側筐体部３とを折り畳んだ状態（折畳み状態）にしたりできる。なお、本実施形態において、ヒンジ機構４による折り畳み式の携帯電話装置１の説明をしているが、折り畳み式ではなく、両筐体２、３を重ね合わせた状態から一方の筐体を一方向にスライドさせるようにしたスライド式や、重ね合せ方向に沿う軸線を中心に一方の筐体を回転させるようにした回転式（ターンタイプ）や、両筐体２、３を２軸ヒンジを介して連結したもの、さらには、操作部側筐体部２と表示部側筐体部３とが一つの筐体に配置されたもの（いわゆる、ストレートタイプ）でも良い。
【００１７】
また、図２は、携帯電話装置１を折畳んだ状態の斜視図を示している。操作部側筐体部２は、一方の側面に、所定の機能が割り当てられているサイドキー３０と、外部メモリの挿入及び取り出しが行われるインターフェース用のキャップ３１と、を備えている。また、表示部側筐体部３のリアパネル３ｂ表面には、被写体を撮像するカメラ３２と、被写体に光を照射するライト３３と、被写体の撮像距離に応じて、通常モードと接写モードとを切り替えるスイッチ３４と、が露出して形成されている。
【００１８】
また、図３は、携帯電話装置１の機能を示す機能ブロック図である。携帯電話装置１は、図３に示すように、所定の使用周波数帯により外部装置と通信を行うアンテナ４０と、アンテナ４０により受信した高周波（ＲＦ、Ｒａｄｉｏ  Ｆｒｅｑｕｅｎｃｙ）信号を変調処理し、及び復調処理した信号をアンテナ４０に供給するＲＦ部４１と、携帯電話装置１の各部に所定の電源電圧を供給する電源システム制御部４２と、被写体を撮像するカメラモジュール部４３と、カメラモジュール部４３で撮像した画像を処理する画像処理部４４と、画像処理部４４により処理された画像を表示するディスプレイ２１と、所定の情報を格納するメモリ部４５と、携帯電話装置１の各部に対して所定の制御を行う制御部４６と、を備える。
【００１９】
制御部４６は、通信や通話に関する処理を行なうベースバンドプロセッサ５０を備えている。
【００２０】
また、カメラモジュール部４３は、上述した、被写体を撮像するカメラ３２と、被写体に光を照射するライト３３と、被写体の撮像距離に応じて、通常モードと接写（マクロ）モードとを切り替えるスイッチ３４（３端子切替部）と、により構成されている。また、スイッチ３４は、ベースバンドプロセッサ５０の第１の汎用ポート５０Ａ及び第２の汎用ポート５０Ｂに接続されている。したがって、ベースバンドプロセッサ５０は、ユーザによるスイッチ３４の切り替え動作によりスイッチ３４の状態を検出することができる。
【００２１】
従来の構成においては、ベースバンドプロセッサには、スイッチから供給される信号はプルアップされて入力される。スイッチ信号は、スイッチがオープン状態であれば電位が「Ｈｉｇｈ」になり、スイッチがショート状態であれば電位が「Ｌｏｗ」になるので、ベースバンドプロセッサは、電位の「Ｈｉｇｈ」又は「Ｌｏｗ」を検出することによりスイッチの状態を把握していた。しかしながら、スイッチがショート状態である場合には、電源電圧（Ｖｃｃ）から無効電流が印加され、無効電流が無駄に消費されていた。本発明に係る携帯電話装置１では、プルアップからの無効電流の消費を防止し、消費電流を削減することができる。
【００２２】
ここで、本発明に係るスイッチ３４とベースバンドプロセッサ５０の構成について説明する。なお、以下においては、スイッチ３４が第１の状態（図４を参照）にある場合には、被写体までの撮像距離が通常距離である通常モードが選択され、また、スイッチ３４が第２の状態（図５を参照）にある場合には、被写体までの撮像距離が至近距離であるマクロモードが選択されることとする。
【００２３】
スイッチ３４は、図４に示すように、第１の端子６０と、第２の端子６１と、第３の端子６２とを有し、第２の端子６１の一方端側６１Ａが接地されており、第１の端子６０の一方端側６０Ａと第２の端子６１の他方端側６１Ｂとが接続される第１の状態と、第２の端子６１の他方端側６１Ｂと第３の端子６２の一方端側６２Ａとが接続される第２の状態とがユーザによる手動操作に応じて切り替え可能に構成されている。また、第１の端子６０の他方端側６０Ｂは、ベースバンドプロセッサ５０の第１の汎用ポート５０Ａに接続されている。また、第３の端子６２の他方端側６２Ｂは、ベースバンドプロセッサ５０の第２の汎用ポート５０Ｂに接続されている。
【００２４】
また、ベースバンドプロセッサ５０は、第１の汎用ポート５０Ａが所定の抵抗器５４、５５を介して電源電圧（Ｖｃｃ）側又は接地側に接続されるように切り替え動作を行う第１のスイッチ部５１と、第２の汎用ポート５０Ｂが所定の抵抗器５６、５７を介して電源電圧側（Ｖｃｃ）又は接地側に接続されるように切り替え動作を行う第２のスイッチ部５２と、第１のスイッチ部５１と第２のスイッチ部５２の切り替え動作を制御する主制御部５３と、を備えている。
【００２５】
ここで、主制御部５３による第１のスイッチ部５１と第２のスイッチ部５２の切り替え動作について説明する。
【００２６】
主制御部５３は、スイッチ３４が第１の状態に切り替えられていることを確認した場合には、図４に示すように、第１のスイッチ部５１を制御して第１の汎用ポート５０Ａが抵抗器５５を介して接地側に接続されるように切り替え（プルダウン）、かつ、第２のスイッチ部５２を制御して第２の汎用ポート５０Ｂが抵抗器５６を介して電源電圧（Ｖｃｃ）側に接続されるように切り替える（プルアップ）。したがって、第１の汎用ポート５０Ａに接続されている第１の端子６０の他方端側６０Ｂは、プルダウンとなり、第２の汎用ポート５０Ｂに接続されている第３の端子６２の他方端側６２Ｂは、プルアップとなる。
【００２７】
また、主制御部５３は、スイッチ３４が第２の状態に切り替えられていることを確認した場合には、図５に示すように、第１のスイッチ部５１を制御して第１の汎用ポート５０Ａが抵抗器５４を介して電源電圧（Ｖｃｃ）側に接続されるように切り替え（プルアップ）、かつ、第２のスイッチ部５２を制御して第２の汎用ポート５０Ｂが抵抗器５７を介して接地側に接続されるように切り替える（プルダウン）。したがって、第１の汎用ポート５０Ａに接続されている第１の端子６０の他方端側６０Ｂは、プルアップとなり、第２の汎用ポート５０Ｂに接続されている第３の端子６２の他方端側６２Ｂは、プルダウンとなる。
【００２８】
このような構成によれば、スイッチ３４が第１の状態であっても第２の状態であっても、第２の端子６１の他方端側６１Ｂは、常にプルダウン状態になっているので、無効電流が無駄に消費されるのを防止することができる。
【００２９】
また、ベースバンドプロセッサ５０は、電源電圧が投入されたとき（初期状態のとき）には、主制御部５３により、第１のスイッチ部５１を制御して第１の汎用ポート５０Ａが抵抗器５４を介して電源電圧（Ｖｃｃ）側に接続されるように切り替え（プルアップ）、かつ、第２のスイッチ部５２を制御して第２の汎用ポート５０Ｂが抵抗器５６を介して電源電圧（Ｖｃｃ）側に接続されるように切り替えて（プルアップ）、第１の汎用ポート５０Ａ及び第２の汎用ポート５０Ｂの論理レベルを確認する。
【００３０】
例えば、スイッチ３４が第１の状態（図４に示す状態）の場合には、第１の端子６０と第２の端子６１とが接続されている（ショート状態）ので、第１の汎用ポート５０Ａには、論理レベルとして「Ｌｏｗ」（ＧＮＤ）が検出され、一方で、第３の端子６２はオープン状態であるため、第２の汎用ポート５０Ｂには、論理レベルとして「Ｈｉｇｈ」が検出される。なお、この状態では、第１の汎用ポート５０Ａを介して無効電流が消費されてしまう。
【００３１】
つぎに、ベースバンドプロセッサ５０は、第１の汎用ポート５０Ａの論理レベルが「Ｌｏｗ」であると検出した場合には、スイッチ３４が第１の状態に切り替えられていると判断し、主制御部５３により第１のスイッチ部５１を制御して第１の汎用ポート５０Ａが抵抗器５５を介して接地側に接続されるように切り替える（プルダウン）。なお、第２の汎用ポート５０Ｂはプルアップのままに維持しておく。
【００３２】
このようにして、スイッチ３４が第１の状態の場合には、第１の汎用ポート５０Ａがプルダウンとなり、第２の汎用ポート５０Ｂがプルアップとなるので、スイッチ３４を介して無効電流の消費を防止することができる。
【００３３】
また、ベースバンドプロセッサ５０は、第１の汎用ポート５０Ａの論理レベルが「Ｌｏｗ」であって、第１のスイッチ部５１がプルダウンに設定されており、また、第２の汎用ポート５０Ｂの論理レベルが「Ｈｉｇｈ」であって、第２のスイッチ部５２がプルアップに設定されている旨をメモリ部４５に保存しておく（図６を参照）。
【００３４】
ここで、通常、待ち受け状態において、ベースバンドプロセッサ５０は、低消費電力モードになっており、動作しない。このように、ベースバンドプロセッサ５０が低消費電力モードになっているときに、スイッチ３４が操作され、第１の状態から第２の状態に変更された場合（図５を参照）には、第２の端子６１と第３の端子６２とが接続される（ショート状態）ので、第２の汎用ポート５０Ｂが接地（ＧＮＤ）され、プロセッサ割り込みにより、第２の汎用ポート５０Ｂに「Ｌｏｗ」（ＧＮＤ）が論理レベルとして検出される。
【００３５】
ベースバンドプロセッサ５０は、割り込みが発生した場合、低消費出力モードから通常の動作モードに状態遷移する。
【００３６】
ベースバンドプロセッサ５０は、通常モードに状態遷移した後、チャタリング処理等を経て第２の汎用ポート５０Ｂの論理レベルが「Ｌｏｗ」であると確定する。そして、ベースバンドプロセッサ５０は、メモリ部４５に保存しておいた情報を参照し、第２の汎用ポート５０Ｂの論理レベルに変化があったかどかを判定する。
【００３７】
ベースバンドプロセッサ５０は、変化があったと判定した場合には、スイッチ３４が第２の状態に切り替えられていると判断し、主制御部５３により第２のスイッチ部５２を制御して第２の汎用ポート５０Ｂが抵抗器５７を介して接地側に接続されるように切り替え（プルダウン）、第１のスイッチ部５１を制御して第１の汎用ポート５０Ａが抵抗器５４を介して電源電圧（Ｖｃｃ）側に接続されるように切り替える（プルアップ）。
【００３８】
このようにして、スイッチ３４が第２の状態の場合には、第１の汎用ポート５０Ａがプルアップとなり、第２の汎用ポート５０Ｂがプルダウンとなるので、スイッチ３４を介して無効電流の消費を防止することができる。
【００３９】
また、ベースバンドプロセッサ５０は、第１の汎用ポート５０Ａの論理レベルが「Ｈｉｇｈ」であって、第１のスイッチ部５１がプルアップに設定されており、また、第２の汎用ポート５０Ｂの論理レベルが「Ｌｏｗ」であって、第２のスイッチ部５２がプルダウンに設定されている旨をメモリ部４５に保存しておく（図７を参照）。
【００４０】
また、ベースバンドプロセッサ５０は、上述の処理を実行した後、再び低消費電力モードに状態遷移する。
【００４１】
このようにして、本発明に係る携帯電話装置１は、ベースバンドプロセッサ５０の第１の汎用ポート５０Ａ及び第２の汎用ポート５０Ｂの論理レベルに変化があった場合に、第１の汎用ポート５０Ａ及び第２の汎用ポート５０Ｂのプルアップ／プルダウンを適宜変更する制御を繰り返すことにより、スイッチ３４の状態による無効電流を消費することを防止することができ、待ち受け時間の向上を図ることができる。
【００４２】
また、スイッチ３４が連続的に切り替えられた場合においても、メモリ部４５に保存されている情報に基づく第１の汎用ポート５０Ａ及び第２の汎用ポート５０Ｂの状態と、現在の第１の汎用ポート５０Ａ及び第２の汎用ポート５０Ｂの状態とを比較することにより、誤検出を防止することができる。
【００４３】
さらに、本発明に係る携帯電話装置１では、電源がオフ状態からオン状態に切り替えられた場合であっても、常に、第１の汎用ポート５０Ａ及び第２の汎用ポート５０Ｂをプルアップに設定してから、スイッチ３４が第１の状態の場合には、第１の汎用ポート５０Ａをプルダウンに設定し（第２の汎用ポート５０Ｂはプルアップを維持する）、またスイッチ３４が第２の状態の場合には、第２の汎用ポート５０Ｂをプルダウンに設定する（第１の汎用ポート５０Ａはプルアップを維持する）ので、従来の構成に対して特別な追加制御を必要とせず、簡易な構成により実現することができる。
【００４４】
また、本発明に係る携帯電話装置１は、ベースバンドプロセッサ５０の汎用ポートが有するプルアップ機能及びプルダウン機能を利用するので、スイッチ３４の周辺構成を複雑にすることなく、簡易に周辺デバイスの状態を検出することができる。また、本発明に係る携帯電話装置１は、カメラにおけるマクロ切り替えのように、第１の状態（通常モード）と第２の状態（マクロモード）のいずれをデフォルト（初期設定）にするのか固定されていない機能、すなわちユーザの任意の設定に委ねられている機能において、特に有効である。
【図面の簡単な説明】
【００４５】
【図１】本発明に係る携帯電話装置の開状態における外観を示す斜視図である。
【図２】本発明に係る携帯電話装置の閉状態における外観を示す斜視図である。
【図３】本発明に係る携帯電話装置の機能を示すブロック図である。
【図４】スイッチのスライドが第１の状態における、スイッチとベースバンドプロセッサの構成を示す図である。
【図５】スイッチのスライドが第２の状態における、スイッチとベースバンドプロセッサの構成を示す図である。
【図６】スイッチのスライドが第１の状態において、メモリ部に記憶される第１の汎用ポート及び第２の汎用ポートの設定状態を示す図である。
【図７】スイッチのスライドが第２の状態において、メモリ部に記憶される第１の汎用ポート及び第２の汎用ポートの設定状態を示す図である。
【符号の説明】
【００４６】
１  携帯電話装置
２  操作部側筐体部
３  表示部側筐体部
４  ヒンジ機構
３２  カメラ
３４  スイッチ
４０  アンテナ
４１  ＲＦ部
４２  電源システム制御部
４３  カメラモジュール部
４４  画像処理部
２１  ディスプレイ
４５  メモリ部
４６  制御部
５０  ベースバンドプロセッサ
５０Ａ  第１の汎用ポート
５０Ｂ  第２の汎用ポート
５１  第１のスイッチ部
５２  第２のスイッチ部
５３  主制御部
６０  第１の端子
６１  第２の端子
６２  第３の端子
【図１】
2008276361.tif 000003
【図２】
2008276361.tif 000004
【図３】
2008276361.tif 000005
【図４】
2008276361.tif 000006
【図５】
2008276361.tif 000007
【図６】
2008276361.tif 000008
【図７】
2008276361.tif 000009